(57)【要約】【課題】使用しないときに、簡単な操作で眼鏡を確実に使用者の衣服の所望の位置に保持し、外れないように取付けることのできる留め金を提供する。【解決手段】衣類の生地上で眼鏡を維持するための眼鏡用留め金。留め金は眼鏡のつる（１００、１０２）に係合し、つるが閉じたときに眼鏡のフレーム本体（１０４）の中間部に整合する磁気手段（１０６、１０８）を有する。つるが閉位置にあるときに、磁石は引力磁気連通する。留め金はつるの１つを閉位置へ枢動させることにより使用される。次いで、フレーム本体及び閉じたつるは衣類材料の一側に位置決めされる。第２のつるは、衣類材料の他側へ来るように、閉位置へ枢動される。つるが閉じたとき、磁石は吸引磁気連通し、衣類の物品上に把持力を与える。把持力はつると衣類材料との間の相対運動を実質上阻止する。
2005514635.tif 000002
【特許請求の範囲】
【請求項１】
眼鏡において、
中間部を有するフレーム本体と；
前記フレーム本体の第１の端部に枢動係合する第１のつると；
前記フレーム本体の第２の端部に枢動係合する第２のつると；
前記第１のつるが枢動して閉じたときに前記フレーム本体の前記中間部に整合するように、当該フレーム本体の前記第１の端部からある距離で当該第１のつるに係合する第１の磁気手段と；
前記第２のつるが枢動して閉じたときに前記フレーム本体の前記中間部に整合するように、当該フレーム本体の前記第２の端部からある距離で当該第２のつるに係合する第２の磁気手段と；
を有し、
少なくとも前記つるが枢動して閉じたときに、前記第２の磁気手段が前記第１の磁気手段と引力磁気連通し、
前記つるが閉じるが衣服の生地により分離されるときに、前記第１及び第２の磁気手段が引力磁気連通状態を維持し、前記引力磁気連通が、当該つると前記衣服の生地との間の相対運動を実質上阻止するのに十分な把持力を当該衣服の生地上に及ぼす、
ことを特徴とする眼鏡。
【請求項２】
前記第１の磁気手段が第１の磁石であり；
前記第２の磁気手段が第２の磁石である；
ことを特徴とする請求項１に記載の眼鏡。
【請求項３】
前記第１の磁気手段が、前記第１のつるの第１の側に係合する第１の半部の磁石と、前記第１の半磁石に吸引磁気連通する状態で当該第１のつるの第２の側に係合する第２の半部の磁石とで構成され； 
前記第２の磁気手段が、前記第２のつるの第１の側に係合する第３の半部の磁石と、前記第３の半部の磁石に吸引磁気連通する状態で当該第２のつるの第２の側に係合する第４の半部の磁石とで構成される；
ことを特徴とする請求項１に記載の眼鏡。
【請求項４】
前記磁気手段が、接着剤により前記つるに係合し、縮んで包み込むチューブにより適所に保持されることを特徴とする請求項１に記載の眼鏡。
【請求項５】
前記磁気手段がネジにより前記つるに係合することを特徴とする請求項１に記載の眼鏡。
【請求項６】
前記磁気手段が円形のフレームの前記つるに係合することを特徴とする請求項１に記載の眼鏡。
【請求項７】
前記円形のフレームがループであることを特徴とする請求項６に記載の眼鏡。
【請求項８】
前記円形のフレームが半ループであることを特徴とする請求項６に記載の眼鏡。
【請求項９】
前記チューブが０．０２０インチ（約０．５１ｍｍ）のＯＤを有し、縮み前に０．３５０インチ（約８．８９ｍｍ）のＯＤを有することを特徴とする請求項４に記載の眼鏡。
【請求項１０】
前記磁石がＭＧＯ等級３５ネオジムであることを特徴とする請求項３に記載の眼鏡。
【請求項１１】
前記磁気手段が錆を阻止するためにコーティングで覆われることを特徴とする請求項１に記載の眼鏡。
【請求項１２】
前記磁気手段が前記つるに係合するように当該磁気手段を貫通する中空の通路を有することを特徴とする請求項１に記載の眼鏡。
【請求項１３】
前記磁気手段が接着剤により前記つるに係合することを特徴とする請求項１に記載の眼鏡。
【請求項１４】
前記磁気手段が縮んで包み込むチューブにより前記つるに係合することを特徴とする請求項１に記載の眼鏡。
【請求項１５】
眼鏡において、
中間部を有するフレーム本体と；
前記フレーム本体の第１の端部に枢動係合する第１のつると；
前記フレーム本体の第２の端部に枢動係合する第２のつると；
前記第１のつるが枢動して閉じたときに前記フレーム本体の前記中間部に整合するように、当該フレーム本体の前記第１の端部からある距離で当該第１のつるに係合する第１の磁石と；
前記第２のつるが枢動して閉じたときに前記フレーム本体の前記中間部に整合するように、当該フレーム本体の前記第２の端部からある距離で当該第２のつるに係合する第２の磁石と；
を有し、
少なくとも前記つるが枢動して閉じたときに、前記第２の磁石が前記第１の磁石と引力磁気連通し、
前記つるが閉じるが衣類の生地により分離されるときに、前記第１及び第２の磁石が吸引磁気連通状態を維持し、前記吸引磁気連通が、当該つると前記衣類の生地との間の相対運動を実質上阻止するのに十分な把持力を当該衣類の生地上に及ぼす、
ことを特徴とする眼鏡。
【請求項１６】
前記第１の磁石が前記第１のつるの第１の側に係合する第１半部の磁石と、当該第１のつるの第２の側に係合する第２の半部の磁石とで構成され、前記第１及び第２の半部の磁石が引力磁気連通し；
前記第２の磁石が前記第２のつるの第１の側に係合する第３の半部の磁石と、当該第２のつるの第２の側に係合する第４の半部の磁石とで構成され、前記第３及び第４の半部の磁石が引力磁気連通する；
ことを特徴とする請求項１５に記載の眼鏡。
【請求項１７】
前記磁石が接着剤により前記つるに係合し、縮んで包み込むチューブにより適所に保持されることを特徴とする請求項１５に記載の眼鏡。
【請求項１８】
前記チューブが０．０２０インチ（約０．５１ｍｍ）のＯＤを有し、縮み前に０．３５０インチ（約８．８９ｍｍ）のＯＤを有することを特徴とする請求項１７に記載の眼鏡。
【請求項１９】
前記磁石が各々、前記つるに係合するように当該磁石を貫通する中空の通路を有することを特徴とする請求項１５に記載の眼鏡。
【請求項２０】
前記磁石が接着剤により前記つるに係合することを特徴とする請求項１５に記載の眼鏡。
【請求項２１】
前記磁石が、縮んで包み込むチューブにより前記つるに係合することを特徴とする請求項１５に記載の眼鏡。
【請求項２２】
前記磁石がネジにより前記つるに係合することを特徴とする請求項１５に記載の眼鏡。
【請求項２３】
前記磁石が円形のフレームの前記つるに係合することを特徴とする請求項１５に記載の眼鏡。
【請求項２４】
前記円形のフレームがループであることを特徴とする請求項２３に記載の眼鏡。
【請求項２５】
前記円形のフレームが半ループであることを特徴とする請求項２３に記載の眼鏡。
【請求項２６】
前記磁石がＭＧＯ等級３５ネオジムであることを特徴とする請求項１６に記載の眼鏡。
【請求項２７】
前記磁石が錆を阻止するためにコーティングで覆われることを特徴とする請求項１５に記載の眼鏡。
【請求項２８】
第１及び第２の端部並びに中間部を備えたフレーム本体と、第１のつると、第２のつるとを有し、前記つるが前記フレーム端部で前記フレーム本体に枢動係合するような眼鏡のための留め金において、
前記第１のつるが枢動して閉じたときに前記フレーム本体の前記中間部に整合するように、当該フレーム本体の前記第１の端部からある距離で当該第１のつるに係合できる第１の磁石と；
前記第２のつるが枢動して閉じたときに前記フレーム本体の前記中間部に整合するように、当該フレーム本体の前記第２の端部からある距離で当該第２のつるに係合できる第２の磁石と；
を有し、
少なくとも前記つるが枢動して閉じたときに、前記第２の磁石が前記第１の磁石と引力磁気連通し、
前記つるが閉じるが衣類の生地により分離されるときに、前記第１及び第２の磁石が引力磁気連通状態を維持し、前記引力磁気連通が、当該つると前記衣類の生地との間の相対運動を実質上阻止するのに十分な把持力を当該衣類の生地上に及ぼす、
ことを特徴とする留め金。
【請求項２９】
前記第１の磁石が前記第１のつるの第１の側に係合できる第１の半部の磁石と、当該第１のつるの第２の側に係合できる第２の半部の磁石とで構成され、前記第１及び第２の半部の磁石が引力磁気連通し；
前記第２の磁石が前記第２のつるの第１の側に係合できる第３の半部の磁石と、当該第２のつるの第２の側に係合できる第４の半部の磁石とで構成され、前記第３及び第４の半部の磁石が引力磁気連通する；
ことを特徴とする請求項２８に記載の留め金。
【請求項３０】
前記磁石が接着剤により前記つるに係合し、縮んで包み込むチューブにより適所に保持されることを特徴とする請求項２８に記載の留め金。
【請求項３１】
前記チューブが０．０２０インチ（約０．５１ｍｍ）のＯＤを有し、縮み前に０．３５０インチ（約８．８９ｍｍ）のＯＤを有することを特徴とする請求項３０に記載の留め金。
【請求項３２】
前記磁石が各々、前記つるに係合するように当該磁石を貫通する中空の通路を有することを特徴とする請求項２８に記載の留め金。
【請求項３３】
前記磁石が接着剤により前記つるに係合することを特徴とする請求項２８に記載の留め金。
【請求項３４】
前記磁石が縮んで包み込むチューブにより前記つるに係合することを特徴とする請求項２８に記載の留め金。
【請求項３５】
前記磁石がネジにより前記つるに係合することを特徴とする請求項２８に記載の留め金。
【請求項３６】
前記磁石が円形のフレームの前記つるに係合することを特徴とする請求項２８に記載の留め金。
【請求項３７】
前記円形のフレームがループであることを特徴とする請求項３６に記載の留め金。
【請求項３８】
前記円形のフレームが半ループであることを特徴とする請求項３６に記載の留め金。
【請求項３９】
前記磁石がＭＧＯ等級３５ネオジムであることを特徴とする請求項２９に記載の留め金。
【請求項４０】
前記磁石が錆を阻止するためにコーティングで覆われることを特徴とする請求項２８に記載の留め金。
【請求項４１】
眼鏡を衣類の生地に係合させる方法において、
中間部を有するフレーム本体と；前記フレーム本体の第１の端部に枢動係合する第１のつると；当該フレーム本体の第２の端部に枢動係合する第２のつると；前記第１のつるが枢動して閉じたときに該フレーム本体の前記中間部に整合するように、該フレーム本体の前記第１の端部からある距離で当該第１のつるに係合する第１の磁石と；前記第２のつるが枢動して閉じたときに該フレーム本体の前記中間部に整合するように、該フレーム本体の前記第２の端部からある距離で当該第２のつるに係合する第２の磁石と；を有する眼鏡を提供する工程；
前記第１のつるを閉位置に枢動させる工程；
前記衣類の生地の一側に、前記フレーム本体及び前記第１のつるを位置させる工程；
前記第２のつるが前記フレーム本体及び前記第１のつるに対して前記衣類の生地の他側に来るように、当該第２のつるを閉位置へ枢動させる工程；及び
前記衣類の生地を通して引力磁気連通している前記第１及び第２の磁石から、当該衣類の生地上に把持力を及ぼす工程；
を有することを特徴とする方法。
【請求項４２】
衣類の生地に眼鏡を係合させる方法において、
中間部を有するフレーム本体と；前記フレーム本体の第１の端部に枢動係合する第１のつると；当該フレーム本体の第２の端部に枢動係合する第２のつると；前記第１のつるが枢動して閉じたときに該フレーム本体の前記中間部に整合するように、該フレーム本体の前記第１の端部からある距離で当該第１のつるに係合する第１の引力手段と；前記第２のつるが枢動して閉じたときに該フレーム本体の前記中間部に整合するように、該フレーム本体の前記第２の端部からある距離で当該第２のつるに係合する第２の引力手段と；を有する眼鏡を提供する工程；
前記第１のつるを閉位置へ枢動させる工程；
前記衣類の生地の一側に、前記フレーム本体及び前記第１のつるを位置させる工程；
前記第２のつるが前記フレーム本体及び前記第１のつるに対して前記衣類の生地の他側に来るように、当該第２のつるを閉位置へ枢動させる工程；及び
前記衣類の生地を通して互いに引き合っている前記第１及び第２の引力手段から当該衣類の生地上に把持力を及ぼす工程；
を有することを特徴とする方法。
【請求項４３】
前記第１及び第２の吸引手段が磁石であることを特徴とする請求項４２に記載の方法。
【請求項４４】
第１及び第２の端部並びに中間部を備えたフレーム本体と、第１のつると、第２のつるとを有し、前記第１及び第２のつるが第１及び第２のバネ作用ヒンジにより前記フレーム端部で前記フレーム本体に枢動係合するような眼鏡のための留め金において、
前記第１のつるが枢動して閉じたときに前記フレーム本体の前記中間部に整合するように、当該フレーム本体の前記第１の端部からある距離で当該第１のつるに係合する第１の磁石と；
前記第２のつるが枢動して閉じたときに前記フレーム本体の前記中間部に整合するように、当該フレーム本体の前記第２の端部からある距離で当該第２のつるに係合する第２の磁石と；
を有し、
少なくとも前記つるが枢動して閉じたときに、前記第２の磁石が前記第１の磁石と引力磁気連通し、
前記つるが閉じるが衣類の生地により分離されるときに、前記第１及び第２の磁石が引力磁気連通状態を維持し、前記引力磁気連通が、当該つると前記衣類の生地との間の相対運動を実質上阻止するのに十分な把持力を当該衣類の生地上に及ぼす、
ことを特徴とする留め金。
【請求項４５】
前記第１の磁石が前記第１のつるの第１の側に係合する第１の半部の磁石と、当該第１のつるの第２の側に係合する第２の半部の磁石とで構成され、前記第１及び第２の半部の磁石が引力磁気連通し；
前記第２の磁石が前記第２のつるの第１の側に係合する第３の半部の磁石と、当該第２のつるの第２の側に係合する第４の半部の磁石とで構成され、前記第３及び第４の半部の磁石が引力磁気連通する；
ことを特徴とする請求項４４に記載の留め金。
【請求項４６】
前記磁石が接着剤により前記つるに係合し、縮んで包み込むチューブにより適所に保持されることを特徴とする請求項４４に記載の留め金。
【請求項４７】
前記チューブが０．０２０インチ（約０．５１ｍｍ）のＯＤを有し、縮み前に０．３５０インチ（約８．８９ｍｍ）のＯＤを有することを特徴とする請求項４６に記載の留め金。
【請求項４８】
前記磁石が各々、前記つるに係合するように当該磁石を貫通する中空の通路を有することを特徴とする請求項４４に記載の留め金。
【請求項４９】
前記磁石が接着剤により前記つるに係合することを特徴とする請求項４４に記載の留め金。
【請求項５０】
前記磁石が縮んで包み込むチューブにより前記つるに係合することを特徴とする請求項４４に記載の留め金。
【請求項５１】
前記磁石がネジにより前記つるに係合することを特徴とする請求項４４に記載の留め金。
【請求項５２】
前記磁石が円形のフレームの前記つるに係合することを特徴とする請求項４４に記載の留め金。
【請求項５３】
前記円形のフレームがループであることを特徴とする請求項５２に記載の留め金。
【請求項５４】
前記円形のフレームが半ループであることを特徴とする請求項５２に記載の留め金。
【請求項５５】
前記磁石がＭＧＯ等級３５ネオジムであることを特徴とする請求項４５に記載の留め金。
【請求項５６】
前記磁石が錆を阻止するためにコーティングで覆われることを特徴とする請求項４４に記載の留め金。
【請求項５７】
第１及び第２の端部並びに中間部を備えたフレーム本体を有する眼鏡のための留め金において、
前記フレーム本体の前記第１の端部に係合するようになっている第１のつると；
前記フレーム本体の前記第２の端部に係合するようになっている第２のつると；
前記第１のつるが枢動して閉じたときに前記フレーム本体の前記中間部に整合するように、当該フレーム本体の前記第１の端部からある距離で当該第１のつるに係合する第１の磁石と；
前記第２のつるが枢動して閉じたときに前記フレーム本体の前記中間部に整合するように、当該フレーム本体の前記第２の端部からある距離で当該第２のつるに係合する第２の磁石と；
を有し、
少なくとも前記つるが枢動して閉じたときに、前記第２の磁石が前記第１の磁石と引力磁気連通し、
前記つるが閉じるが衣類の生地により分離されるときに、前記第１及び第２の磁石が引力磁気連通状態を維持し、前記引力磁気連通が、当該つると前記衣類の生地との間の相対運動を実質上阻止するのに十分な把持力を当該衣類の生地上に及ぼす、
ことを特徴とする留め金。
【請求項５８】
前記第１の磁石が前記第１のつるの第１の側に係合する第１の半部の磁石と、当該第１のつるの第２の側に係合する第２の半部の磁石とで構成され、前記第１及び第２の半部の磁石が引力磁気連通し；
前記第２の磁石が前記第２のつるの第１の側に係合する第３の半部の磁石と、当該第２のつるの第２の側に係合する第４の半部の磁石とで構成され、前記第３及び第４の半部の磁石が引力磁気連通する；
ことを特徴とする請求項５７に記載の留め金。
【請求項５９】
前記磁石が接着剤により前記つるに係合し、縮んで包み込むチューブにより適所に保持されることを特徴とする請求項５７に記載の留め金。
【請求項６０】
前記チューブが０．０２０インチ（約０．５１ｍｍ）のＯＤを有し、縮み前に０．３５０インチ（約８．８９ｍｍ）のＯＤを有することを特徴とする請求項５９に記載の留め金。
【請求項６１】
前記磁石が各々、前記つるに係合するように当該磁石を貫通する中空の通路を有することを特徴とする請求項５７に記載の留め金。
【請求項６２】
前記磁石が接着剤により前記つるに係合することを特徴とする請求項５７に記載の留め金。
【請求項６３】
前記磁石が縮んで包み込むチューブにより前記つるに係合することを特徴とする請求項５７に記載の留め金。
【請求項６４】
前記磁石がネジにより前記つるに係合することを特徴とする請求項５７に記載の留め金。
【請求項６５】
前記磁石が円形のフレームの前記つるに係合することを特徴とする請求項５７に記載の留め金。
【請求項６６】
前記円形のフレームがループであることを特徴とする請求項６５に記載の留め金。
【請求項６７】
前記円形のフレームが半ループであることを特徴とする請求項６５に記載の留め金。
【請求項６８】
前記磁石がＭＧＯ等級３５ネオジムであることを特徴とする請求項５８に記載の留め金。
【請求項６９】
前記磁石が錆を阻止するためにコーティングで覆われることを特徴とする請求項５７に記載の留め金。
【発明の詳細な説明】
【技術分野】
【０００１】
本発明は改善された眼鏡に関する。特に、本発明は眼鏡の不使用時に衣服のポケット又は他の部分内へ眼鏡を維持させるための眼鏡用留め金に関する。
【背景技術】
【０００２】
典型的な眼鏡はブリッジの両側で２つのレンズを収容するフレーム本体を有する。フレーム本体に取付けられた２つのつるはフレーム本体の２つの端部から延びる。つるはフレーム本体に垂直な開位置とフレーム本体に平行な閉位置との間で枢動する。つる及びブリッジは着装者の頭上にフレームを支持する。
【０００３】
人は自分の眼鏡を一時的に取り外すことがよくある。彼らは眼鏡を下に置き、そこを思い出せないことがあり、自分の首のまわりに眼鏡を吊り下げ、この場合、眼鏡が胸に当って跳ね返ることがあり、または、眼鏡をポケット内に入れ、外に落としたり損傷させたりすることがある。
【０００４】
この問題を解決するため、従来技術は、使用者が着た衣服に眼鏡をクリップするために機械的な留め金を使用することを教示している。これらは厄介で、すべての機械的な留め金と同様、弛むことがある。ある機械的な留め金はまたシャツのポケット、帽子のまびさし、ベルト、ホルダ、ストラップ等の利用性に依存する。更に、クリップは最初首尾よく働くことができるが、疲労が金属クリップを弱化させ、眼鏡を固定的に保持するその能力を失わせることがある。更に、クリップは壊れることがあり、眼鏡が外れたり、落下したり破壊されたり、または、眼鏡を紛失してしまう。米国特許第６，０１７，１２０号明細書はつるのヒンジ端部に取付けられた機械的なクリップを教示している。このような機械的なクリップを使用する眼鏡は、人が腰を曲げた場合のように逆さまになったときに、適所に固定的に保持されないことがある。このようなクリップにおける別の問題は、座った位置で人間が前方へかがみ、眼鏡がシャツのポケットの内部で留められている間に上方へ押された場合に生じる。その状況においては、クリップはポケットの底から押し上げられることがあり、クリップを係合解除し、眼鏡をポケットから落下させてしまう。
【０００５】
種々の目的のための眼鏡フレーム上での磁石の使用も当業界で周知である。例えば、多くの眼鏡フレームは健康利益のために着装者を磁化する磁石を有する。他の眼鏡フレームは眼鏡のフレームの各部分を一緒に保持するために磁石を使用し、解体、及び、補助のフレーム、レンズ等を用いた新たな形状への再組み立てを容易にする。米国特許第６１６８，２７３Ｂ１１号明細書は、磁気手段を有する支持物品上へ眼鏡を一時的に固定するために眼鏡フレーム上での磁石の使用を教示している。しかし、この特許明細書の磁石はヒンジの近傍でつるに取付けられるので、その教示は磁気留め金として使用できず、そのように意図してもいなかった。
【０００６】
【特許文献１】米国特許第６,０１７，１２０号明細書
【特許文献２】米国特許第６１６８，２７３Ｂ１１号明細書
【発明の開示】
【課題を解決するための手段】
【０００７】
眼鏡用留め金の１つの実施の形態は、眼鏡のつるに係合する磁石を有する。磁石は、閉位置にあるときにフレーム本体の中間部あるいは中間点に整合するように、各つる上で眼鏡のフレーム本体からほぼ同じ距離だけ離れて位置する。少なくともつるが閉位置にあるときに、磁石は互いに引き合うように磁気的に通じた状態（引力磁気連通）にある。磁石はつる上で磁石を摺動させるのに十分な大きさの、磁石を貫通する中空空間を有する。
【０００８】
留め金は典型的にはつるの１つを閉位置へ枢動させることにより使用される。次いで、フレーム本体及び閉じたつるが、単なる非限定的な例としてシャツのポケット又は袖の如き、衣類の生地の一側に位置させられる。次いで、第２のつるが、衣類の生地の他側へ来るように、閉位置へ枢動される。これで、磁石が引力磁気連通され、衣類材料上に把持力を及ぼす。把持力はつると衣類材料との間の相対運動を実質上阻止する。これにより、磁気クリップは、磁石が衣類の生地を通して強力で十分な引力磁気連通（磁気が互いに引き合うように通じた状態）となることができる所へ、どこでも容易に開閉できる強力で万能の留め金の利点を導入しながら、機械的なクリップの欠点を排除する。
【０００９】
眼鏡の別の実施の形態では、磁石は特殊化された形状のつる自体に係合する。
【００１０】
別の実施の形態では、つる上の磁石は各々つるのそれぞれの側に２つの半部の磁石を有する。磁石は互いに引力磁気連通することによりつるに係合する。半部の磁石はまた、接着剤を使用してつるに係合することができ、縮んだ巻包みチューブにより適所に保持することができる。半部の磁石はまた、ネジを使用してつるに係合することができる。
【００１１】
別の実施の形態では、磁石の１つは矩形で、つるの頂部に位置決めされる。つるの頂部上に１つの磁石を配置することは、閉位置へ枢動するときに、磁石の衝撃磨耗を減少させる。
【００１２】
眼鏡用留め金の実施の形態は完全な眼鏡、磁気手段を取付けたつるの形、あるいは、つる又は他の眼鏡素子を伴うか又は伴わない、磁気手段及びつるを磁気手段に取り付ける手段を有するキットの形をとることができる。
【００１３】
従って、実施の形態は従来の装置の種々の問題を克服できるようにする特長及び利点の組み合わせを有する。
【発明を実施するための最良の形態】
【００１４】
当業者なら、上述の種々の特徴及び他の特長は添付図面を参照して実施の形態の以下の詳細な説明を読んだときに容易に明らかとなろう。
【００１５】
本発明は眼鏡用留め金に関し、異なる形の実施の形態が可能である。図面及び以下の説明は本発明の特定の実施の形態を詳細に開示するが、この開示が本発明の原理の適例であると考えること及び開示内で図示し説明したものに本発明を限定する意図ではないことを理解すべきである。更に、所望の結果を得るために、以下に説明する実施の形態の異なる教示を別個に又は任意の適当な組み合わせで使用できることを十分に認識すべきである。
【００１６】
本発明は、眼鏡の不使用時に眼鏡フレームを一時的に保管するために、眼鏡上に磁石を使用する着想を眼鏡上にクリップを使用する着想と組み合わせる。その結果、そこを通して磁束が作用することのできる衣類又は他の任意の材料の両側で、眼鏡フレームのつるが閉じることができるどんな所へでも、眼鏡を一時的に保管するために使用することのできる、強力で万能の眼鏡用留め金を得る。留め金は大型ではなく、故障するかもしれない機械的なクリップを有さず、磁石を引き付けるための別個のホルダを有さない。眼鏡フレームは衣類材料の内部又は外部のいずれかに置くことができる。雨天においては、留め金は、眼鏡フレームが衣類材料の内部で保護され、つるのみが外部に露出するように、係合することができる。つるはまた衣類材料の内部に置き、一層大きな眼鏡フレームが他方のつると共にポケットの外部位置した状態で、適所に磁気的に留めることができる。
【００１７】
最初に図１Ａ−１Ｄを参照すると、眼鏡用留め金１０４の実施の形態が示してある。右側のつる１００及び左側のつる１０２は任意の適当な手段によりフレーム本体１１４に枢着される。典型的には、つる１０２、１０３は従来周知のバネ作用ヒンジにより枢着される。つる１００、１０２は、眼鏡のフレーム本体１１４に垂直な開位置と、フレーム本体１１４に水平な閉位置との間で枢動する。開位置にあるとき、つるは、図１Ａに示すように、角形の「Ｕ」字形状を形成する。更に、つる１００は耳掛け１２０を有し、つる１０２は耳掛け１２２を有する。フレーム本体１１４はまたブリッジ１１２を含み、中間部あるいは中間点１１０を有する。磁気手段１０６、１０８の図１Ａの「Ｕ」字の外側に向いた極性が同じになるように、第１の磁気手段１０６はつる１００に係合し、第２の磁気手段１０８はつる１０２に係合する。磁気手段１０６、１０８は、つる１００、１０２が閉位置にあるときに眼鏡フレーム本体の中間点１１０に整合するように、つる１００、１０２上で等距離にある。従って、図１Ｄに示すように、つる１００、１０２が枢動して閉じたとき、磁気手段１０６、１０８は磁気手段１０６、１０８の対向する極により生じる引力磁気連通状態（互いの磁気により引き合う状態）となる。図１Ｄは右側のつる１００の内側へ折り畳まれた左側のつる１０２を示す。従って、磁気手段１０６のＳ極側１１６は磁気手段１０８のＮ極側１１８に対面し、これと整合し、つるを閉位置に固定的に保持する。
【００１８】
磁気手段１０６、１０８をつる１００、１０２に取付ける手段はつるを作る材料によって決めることができる。磁気手段をつるに係合させるために任意の適当な方法を使用できることを認識すべきである。種々のつるの材料のためのこのような取り付け手段は、非限定的な例では、溝手段、接着手段、縮みラップチューブ、ヒンジクリップ、金属クランプ、ネジ付きハードウエア等及び（又は）その組み合わせを含む。図１Ａ−１Ｄに示すように、磁気手段１０６、１０８はつる１００、１０２上に嵌合するのに十分なほど大きい、磁気手段を貫通する中空の空間を有する。中空の磁気手段は典型的には、耳掛け１２０、１２２を取り外し、中空の磁気手段をつる１００、１０２上で摺動させ、次いで耳掛け１２０、１２２を再配置することにより、設置される。さらに、磁気手段１０６、１０８は、非限定的な例では、亜鉛、ニッケル、銅、金、異なる色のエポキシ、クロム酸アルミニウム及び（又は）異なる形式の塗料を含む多数の手段により腐食から保護することができる。
【００１９】
眼鏡用留め金１０４は完全なセットになった眼鏡に限定されず、それに取付けた磁気手段を備えたつる、又は、つる又は他の眼鏡素子をその中に備えた又は備えない、磁気手段及び磁気手段をつるに取り付ける手段を有するキットとすることができる。
【００２０】
ここで、図２Ａ−２Ｄを参照すると、眼鏡用留め金１０４の別の実施の形態のつる２０４、２１０、２１６を示す。図２Ａ、２Ｂはつる２０４に形成された半ループ２０２によりつる２０４に係合する磁気手段２００を示す。図２Ｃ、２Ｄにおいて、第１の磁石２０６はつる２１０に形成された完全なループ２０８に係合し、第２の磁石２１２はつる２１６に形成された完全なループ２１４に係合する。磁石２０６、２１２が図２Ｄに示すように接触した場合、磁石２０６、２１２の極性は反対となる。従って、磁石２０６、２１２はその反対の極性により生じる磁気引力により互いに引き合う。つる２０４の半ループ２０２及びつる２１０、２１６の完全なループ２０８は、図１Ｄに示すようにブリッジ１１２の中間部あるいは中間点１１０に整合するように、位置付けられる。半ループ２０２及び完全なループ２０８の寸法はそれぞれ磁石２００、２０６及び２１２を収容するように選択することができ、これらの磁石は接着手段により又は当業界で周知の他の手段により適所に保持することができる。
【００２１】
図２に示すように、磁気手段を係合させるための手段は、磁石の取り付けに適応させるために既存の眼鏡フレームのつるの修正を必要とするかもしれない。従って、キットとして販売する場合、眼鏡用留め金１０４は２つの磁石と、修正されたつると、磁石をつるに取り付ける手段とを有することができる。
【００２２】
ここで、図３Ａ−３Ｅを参照すると、眼鏡用留め金３１２の別の実施の形態を示す。図３Ａにおいては、第１の磁石３００及び第２の磁石３０２はフレーム本体３２６のつる３０８に係合する。第３の磁石３０４及び第４の磁石３０６はつる３１０に係合する。磁石３００、３０２は、磁石３００のＮ極側３１４が磁石３０２のＳ極側３１６と対面してこれに整合するように、左側のつる３０８に係合する。同様に、磁石３０４、３０６は、磁石３０６のＮ極側３１８が磁石３０４のＳ極側３２０と対面してこれに整合するように、右側のつる３１０に係合する。図１におけるように、磁石３００、３０２、３０４、３０６は、眼鏡のフレーム本体３２６のブリッジ３２４の中間部３２２に整合するように、つる３０８，３１０上で等距離に位置する。図３Ｂ、３Ｃにおいて、磁石３００、３０２は縮んだ巻込みチューブ３２８によりつる３０８に係合する。しかし、図３Ｄ、３Ｅにおいては、磁石３０４、３０６はネジ３３０によりつる３１０に係合する。上述のように、つる３０８、３１０を作る材料に適した種々の係合手段を使用することができることを認識すべきである。
【００２３】
図３Ａ−３Ｅに示すように、つる３０８、３１０は、どちらのつるが最初に閉じると否とに拘わらず、磁気手段間に磁気引力を生じさせるための修正を行う必要がない。従がってこの実施の形態は、磁気手段を備えた２つのつるからなることができ、キットとして販売する場合は、この実施の形態は４つの磁石と、対をなす磁石を既存のつるに取付ける手段とからなることができる。
【００２４】
ここで、図４Ａ−４Ｃを参照すると、眼鏡フレームの留め金１０４の別の実施の形態のつる４０２が示してある。留め金１０４はつる４０２に取付けられた矩形の磁石４００と、図１に示すつる１００上の磁気手段１０６とを有する。つる４０２が閉位置へ枢動したときに、磁石４００は眼鏡のフレーム本体の中間部１１０に整合する。磁石４００の極性は、両方のつる１００、４０２が閉位置へ枢動したときに、磁石４００が図１におけるつる１００上の磁気手段１０６に引き付けられるような極性となっている。磁石４００は矩形で、つる１００、４０２が閉位置へ枢動したときに磁石４００が磁気手段１０６と打撃接触するのを阻止するように、つる４０２の頂部に位置する。打撃接触をなくすことにより、磁気手段１０６及び磁石４００は損傷したり、つる１００、４０２から外れたりし難くなる。磁気手段１０６及び磁石４００はどちらのつるに取付けてもよく、依然として本発明の要旨内にあることを認識すべきである。
【００２５】
ここで、図５を参照すると、眼鏡用留め金１０４の左側のつる５００及び右側のつる５０２は閉位置へ枢動している。左側のつる５００は衣類の生地あるいは布地５０４の外側に位置する。右側のつる５０２は衣類の生地５０４の内側に位置する。衣類の生地５０４はつる５００、５０２間に位置する。使用中、着装者はつる５００、５０２の１つを閉位置へ枢動させる。次いで、着装者は眼鏡のフレーム本体１１４及び閉じたつるを衣類の生地５０４の一側に位置させる。次いで、着装者は、衣類の生地５０４の他側に来るように、他方のつるを閉位置へ枢動させる。磁気手段５０８のＳ極側５０６は磁気手段５１２のＮ極側５１０に対面し、これと整合する。衣類の生地５０４のいずれかの側に位置するが、磁気手段５０８、５１２は互いに引力磁気連通する。引力磁気連通は、衣類の生地５０４を把持する力を与えるに十分な強さをもち、衣類の生地に固定的に留められた状態で眼鏡５１４を保持する。つる５００、５０２が閉位置にある間、把持力はつる５００、５０２と衣類材料５０４との間の相対運動を実質上阻止する。磁気手段５０８、５１２は、眼鏡５１４がガタガタ振動する場合でさえ、眼鏡５１４を適所に保つのに十分なほど強力である。磁気手段５０８、５１２はまたこの強度を維持することができる。その理由は、磁束が繰り返しの使用によっても消失しないからである。つる５００、５０２のいずれを他方よりも先に閉位置へ枢動してもよく、依然として本発明の範囲内にある。
【００２６】
ここで図６を参照すると、衣類の生地６１２の任意の部分に磁気的に留めることにより、眼鏡のフレームの留め金１０４が眼鏡６０８を衣類材料６１２に留める方法が示されている。図６において、反対極の磁気引力がそれぞれつる６０４、６０６に取付けられた磁気手段６００、６０２から発する。留めは、つる６０６を折り畳み、つる６０６とフレーム本体６１４とをポケット、折り襟、首カラー等内へ摺動させることにより、達成される。次いで、着装者はつる６０４を衣服６１０の外側へ折り畳み、衣類材料６１２を通してつる６０４、６０６を引力磁気連通状態にする。代わりに、留めは、つる６０４、６０６のいずれかをポケット、折り襟、首カラー等内へ摺動させ、フレーム本体６１４及び他方のつるを衣服６１０の外部へ折り畳むことにより、達成できる。更に、留めは、つる６０４を折り畳み、つる６０４及びフレーム本体６１４を衣服６１４内へ摺動させることにより、達成できる。次に、着装者はつる６０６を衣服６１０の外側へ折り畳む。つる６０４、６０６のいずれを他方よりも先に閉位置へ枢動させてもよく、依然として本発明の範囲内にある。
【００２７】
本発明は、そこを通して磁石が引力磁気連通を維持することのできる任意の材料上へ留めるための手段として眼鏡自体を事実上使用することにより、支持物品の使用に関連する困難性を排除する。例えば、衣類に組み込まれた別個の支持物品は洗濯機や乾燥機の中で厄介であり、アイロン掛けを困難にし、衣服の外観を変えてしまうが、本発明はこれらの欠点を全く有しない。更に、従来技術において述べた衣類に取付ける機械的なクリップとは異なり、本発明は、このようなクリップを材料の縁部に取付ける必要性により限定されない。その代わりに、本発明の留め金は、フレーム本体のヒンジ縁部のみが材料の縁部に位置するように、材料を介してどこにでも取付けられる。従って、例えば、本発明は眼鏡をポケット内で一層深く留めることを可能にするが、一方、従来のクリップは眼鏡の一層大きな部分がポケットの外部へ突出することを必要とする。フレーム本体の中心で係合すると、留め金は、留め金が中心ずれした場合に生じ得るような、くるくると揺れることからフレーム本体を守る。更に、平衡モードで保持された眼鏡は、衣類の縁部が位置する位置に関係なく、取り付け状態を保つ。
【００２８】
例１。磁石３００、３０２、３０４、３０６が直径０．２５インチ（約６．３５ｍｍ）厚さ０．１インチ（約２．５４ｍｍ）のＭＧＯ等級ネオジム（Ｎｄ−Ｆｅ−Ｂ）のディスクであるような図３Ａ−３Ｅの４磁石の実施の形態である。縮んだ巻包みチューブは縮み前に０．３５０インチ（約８．８９ｍｍ）のＯＤを有し、０．０２０インチ（約０．５１ｍｍ）の厚さを有し、つる３０８、３１０に平行である。磁石３００、３０２、３０４、３０６は４ｋＧの場を示し、留め解除のために４００ｇの荷重を必要とする。
【００２９】
例２。磁石３００、３０２、３０４、３０６が直径０．２５インチ（約６．３５ｍｍ）厚さ０．１インチ（約２．５４ｍｍ）のＭＧＯ等級ネオジムのディスクであるような図３Ａ−３Ｅの４磁石の実施の形態である。縮んだ巻包みチューブは縮み前に０．３５０インチ（約８．８９ｍｍ）のＯＤを有し、０．０１０インチ（約０．２５ｍｍ）の厚さを有し、つる３０８、３１０に垂直である。磁石は６ｋＧの場を示し、留め解除のために６００ｇの荷重を必要とする。
【００３０】
特定の実施の形態を図示し、説明したが、当業者なら、本発明の精神又は教示から逸脱することなく、修正を行うことができる。説明した実施の形態は単なる例示であり、限定するものではない。システムや装置の多くの変形及び修正が可能であり、本発明の範囲内に入る。従って、本発明の範囲は説明した実施の形態に限定されず、要旨のすべての等価物を含む範囲を持つ特許請求の範囲によってのみ限定される。
【図面の簡単な説明】
【００３１】
【図１Ａ】眼鏡を着装したときのようなつるが開位置にある状態での眼鏡用留め金を組み込んだ眼鏡の底面図である。
【図１Ｂ】つるの１つが閉位置へ枢動した状態での眼鏡用留め金を組み込んだ眼鏡の斜視図である。
【図１Ｃ】つるの１つが閉位置へ枢動した状態での眼鏡用留め金を組み込んだ眼鏡の側面図である。
【図１Ｄ】つるが閉位置へ枢動した状態での眼鏡用留め金を組み込んだ眼鏡の底面図である。
【図２Ａ】磁石がつるの半ループ内に保持されている状態での眼鏡用留め金を示す、眼鏡用留め金の別の実施の形態の側面図である。
【図２Ｂ】磁石がつるの半ループ内に保持されている状態での図２Ａの眼鏡用留め金を組み込んだ眼鏡のつるの底面図である。
【図２Ｃ】磁石がつるのループ内に保持されている状態での図２Ａの眼鏡用留め金を組み込んだ、閉位置へ枢動したときの眼鏡のつるの背面図である。
【図２Ｄ】磁石がつるのループ内に保持されている状態での図２Ａの眼鏡用留め金を組み込んだ、閉位置へ枢動したときの眼鏡のつるの底面図である。
【図３Ａ】磁石が縮んだ巻包みチューブ内にある状態での、眼鏡用留め金の別の実施の形態に従って構成された眼鏡用留め金を組み込んだ眼鏡のつるの側面図である。
【図３Ｂ】磁石が縮みラップチューブ内にある状態での図３Ａの眼鏡用留め金を組み込んだ眼鏡のつるの底面図である。
【図３Ｃ】磁石が小さなネジによりつるに取付けられた状態での図３Ａの眼鏡用留め金を組み込んだ眼鏡のつるの頂面図である。
【図３Ｄ】磁石が小さなネジによりつるに取付けられた状態での図３Ａの眼鏡用留め金を組み込んだ眼鏡のつるの側面図である。
【図４Ａ】矩形の磁石を備えた眼鏡用留め金の別の実施の形態を組み込んだ眼鏡のつるの斜視図である。
【図４Ｂ】矩形の磁石を備えた図４Ａの眼鏡用留め金を組み込んだ眼鏡のつるの側面図である。
【図４Ｃ】矩形の磁石を備えた図４Ａの眼鏡用留め金を組み込んだ眼鏡のつるの頂面図である。
【図５】つるが閉位置へ枢動した状態での眼鏡用留め金を組み込んだ眼鏡の底面図である。
【図６】衣類材料に対する留め金の使用を示す、つるが閉位置へ枢動した状態での眼鏡用留め金を組み込んだ眼鏡の底面図である。
【図１Ａ】
2005514635.tif 000003
【図１Ｂ】
2005514635.tif 000004
【図１Ｃ】
2005514635.tif 000005
【図１Ｄ】
2005514635.tif 000006
【図２Ａ】
2005514635.tif 000007
【図２Ｂ】
2005514635.tif 000008
【図２Ｃ】
2005514635.tif 000009
【図２Ｄ】
2005514635.tif 000010
【図２Ｅ】
2005514635.tif 000011
【図３Ａ】
2005514635.tif 000012
【図３Ｂ】
2005514635.tif 000013
【図３Ｃ】
2005514635.tif 000014
【図３Ｄ】
2005514635.tif 000015
【図３Ｅ】
2005514635.tif 000016
【図４Ａ】
2005514635.tif 000017
【図４Ｂ】
2005514635.tif 000018
【図４Ｃ】
2005514635.tif 000019
【図５】
2005514635.tif 000020
【図６】
2005514635.tif 000021
【国際調査報告】
2005514635.tif 000022